(57)【要約】【課題】水や汚染から宅配荷物用伝票を保護するだけでなく宅配荷物への装着が簡単で、無線ＩＣタグ付伝票にも適用が可能な宅配荷物用伝票を提供する。【解決手段】透明の合成樹脂フィルムで形成された、荷物の取手などに巻回して取り付ける伝票の封入袋１であって、封入袋１は、一辺に挿入口を有する略矩形状の袋本体１０と、袋本体１０の挿入口１２より延設された取付部１３とから成り、取付部１３は、荷物の取手などに巻回してループを形成するのに十分な長さで、折り返し位置に型付１４がされていると共に、取付部１３の先端部及びループを形成させる位置に粘着剤１５が塗布されていることを特徴とする。【選択図】    図２
2007276822.tif 000002
【特許請求の範囲】
【請求項１】
透明の合成樹脂フィルムで形成された、荷物の取手などに巻回して取り付ける伝票の封入袋であって、該封入袋は、一辺に挿入口を有する略矩形状の袋本体と、該袋本体の挿入口より延設された取付部とから成り、
前記取付部は、荷物の取手などに巻回してループを形成するのに十分な長さで、折り返し位置に型付がされていると共に、取付部の先端部及びループを形成させる位置に粘着剤が塗布されていることを特徴とする伝票の封入袋。
【請求項２】
前記取付部の形状がダンベル状である請求項１記載の伝票の封入袋。
【請求項３】
前記型付が折り曲げた箇所を熱融着させたものである請求項１又は２記載の伝票の封入袋。
【請求項４】
無線ＩＣタグ付伝票用である請求項１乃至３の何れかに記載の伝票の封入袋。
【発明の詳細な説明】
【技術分野】
【０００１】
本発明は伝票の封入袋に関し、より詳しくは、旅行鞄やゴルフバックなど荷物の取手に巻回して取り付けるのに好適な伝票の封入袋に関するものである。
【背景技術】
【０００２】
宅配荷物に使用する伝票としては、一般に紙製の伝票が広く普及している。この伝票は、表面に発送元や配送先の情報などを記入できるようになっていて、裏面には宅配荷物の表面に直接貼り付け出来るよう粘着剤が塗布されている。
【０００３】
しかしながら、上述した紙製の宅配荷物用伝票を使用した場合、例えば、雨による水滴で濡れたり、その他の原因で伝票表面が汚染されて記載された情報が読みとれなくなるという問題があった。また、粘着剤で直接宅配荷物の表面に伝票を貼り付けることから、伝票を貼り付けることが出来ない宅配荷物や、伝票を剥がした後に粘着剤が残留して宅配荷物の表面を汚染するのが困る宅配用荷物には使用できないという問題もあった。
このような問題を解決するものとして、宅配荷物用伝票を透明な合成樹脂から形成された封入袋に挿入し、当該挿入袋を紐等で宅配荷物に結わえ付けることが行われている。更にまた、特許文献１には合成樹脂フィルムで形成された一側辺に開口を有する方形の袋本体に、開口を開閉可能に封止するフラップを一体に設けるとともに、開口の無い他の一側辺に、先端部に粘着剤層を有する取付帯を一体に設けた伝票添付用袋が提案されている。
【０００４】
一方、近年の物流システムの高度情報化により、宅配荷物用伝票として無線ＩＣタグ（データの読み書きを無線で行う微小な電子集積回路）や、紙製の伝票と無線ＩＣタグを組み合わせたものも次第に流通するようになってきている。無線ＩＣタグに対するデータの読み書きは、無線ＩＣタグ専用リーダ／ライタから無線ＩＣタグに対して電波を送出して無線で行うが、その際、無線ＩＣタグが金属製のもの（例えば表面が金属製である宅配荷物や、宅配荷物の内容物が金属製であるもの、など）に近接したままだと、無線ＩＣタグ専用リーダ／ライタから送出される電波がそれらの金属に吸収されるなどの事象が発生しやすくなる結果、無線ＩＣタグに対するデータの読み書きが不可能になるか、あるいはデータの読み書きが可能となるための距離が極端に減少するなどの問題があった。
【０００５】
【特許文献１】特開２００２−６８２０５号公報
【特許文献２】特開２００５−５５７５２号公報
【発明の開示】
【発明が解決しようとする課題】
【０００６】
本発明は、水や汚染から宅配荷物用伝票を保護するだけでなく宅配荷物への装着が簡単で、無線ＩＣタグ付伝票にも適用が可能な伝票の封入袋を提供することを課題とする。
【課題を解決するための手段】
【０００７】
本発明者らは上記課題を解決するために検討を行った結果、袋本体の挿入口側に延設した取付部を一定以上の長さにすることで、宅配荷物の取手などに巻回して装着するためのループと兼用にすれば簡便な方法で安価に上記課題を解決する伝票の封入袋が得られることを見いだし本発明に到った。
【０００８】
すなわち、本発明は、
透明の合成樹脂フィルムで形成された、荷物の取手などに巻回して取り付ける伝票の封入袋であって、該封入袋は、一辺に挿入口を有する略矩形状の袋本体と、該袋本体の挿入口より延設された取付部とから成り、前記取付部は、荷物の取手などに巻回してループを形成するのに十分な長さで、折り返し位置に型付がされていると共に、取付部の先端部及びループを形成させる位置に粘着剤が塗布されていることを特徴とし、更に、前記取付部の形状がダンベル状であること、前記型付が折り曲げた箇所を熱融着させたものであること、無線ＩＣタグ付伝票用であることを特徴とする。
【発明の効果】
【０００９】
本発明の伝票の封入袋を使用することで、伝票が濡れたり汚染したりするのを防止することが出来る。しかも、取付部を長くすることで宅配荷物の取手などに巻回してループ状にして装着することができるので、宅配荷物の表面を汚染することが防止できるばかりでなく、無線ＩＣタグ付の伝票にも好適に使用することができる。更に、本発明の伝票の封入袋においては、取付部を挿入口の封止とループの形成という２つの機能を同時に果せる構造としたので、容易に、しかも安価に製造することが出来るという利点も有している。
【発明を実施するための最良の形態】
【００１０】
以下、本発明の最良の形態の一例を図面に基づいて説明する。図１は本発明の伝票の封入袋の概略斜視図であり、図２は図１の封入袋１における取付部１３が型付１４で折り返された状態を示す概略斜視図である。
図１、２に示すように本発明の封入袋１は透明の合成樹脂フィルムで形成され、一辺に挿入口１２を有する略矩形状の袋本体１１と、袋本体１１の挿入口１２より延設された取付部１３を有する構造となっている。
【００１１】
本発明の封入袋１においては透明な合成樹脂フィルムを使用する。合成樹脂フィルムとしては、例えば、ポリエチレン、ポリプロピレン、ナイロン、ポリエステルなど通常用いられる合成樹脂の単独或いは混合物からなる単層又は多層フィルムが挙げられるが、これらを特に制限無く使用することができる。特に、本発明の封入袋を無線ＩＣタグ付の伝票に適用する場合には、金属が含まれていない合成樹脂フィルムを使用するのが好ましい。
本発明においては上記合成樹脂フィルムのうち宅配荷物用伝票表面に記載されている情報を外部から十分に判読できる程度の透明性を有するものを使用する。
【００１２】
さて、本発明の封入袋１は、図１、２に示すように袋本体１１と取付部１３とから形成されている。そして、袋本体１１の形状は略矩形、すなわち正方形、長方形或いは例えばそれらの角部にＲ付けをするなどの変形を施した形状であって、一辺に宅配荷物用伝票を出し入れするための挿入口１２を有する構造となっている。袋本体１１の大きさは、宅配荷物用伝票の大きさに応じて設定するのであるが、概ね、封入する伝票のそれぞれの辺の長さよりも１．５ｃｍ以上、３．０ｃｍ以下となるようにすればよい。
【００１３】
一方、取付部１３は袋本体の挿入口１２側から延設されていて、挿入口１２を封止するのと、宅配荷物の取手などに巻き回して装着するためのループを形成する機能、つまり特許文献１の袋におけるフラップと取付帯の双方の機能を有するものである。そして、取付部１３にこのような機能を付与するために以下の要件を満たす必要がある。
（１）宅配荷物の取手などに巻回してループを形成するのに十分な長さを有していること。
（２）折り返し位置に予め型付１４されていること。
（３）取付部の先端部及びループを形成させる位置に粘着剤１５が塗布されていること。
＜（１）取付部１３の長さについて＞
取付部１３の長さが、宅配荷物の取手などに巻回してループを形成するのに必要な長さ未満だと取付部１３を宅配荷物の取手などに十分巻回すことができなくなるので宅配荷物用伝票を宅配荷物に添付するという本発明の目的を達し得ない。なお、取付部１３の具体的な長さについては前記目的が達成できる範囲で適宜設定されるが、折り返して使用する関係上概ね１０〜３０ｃｍである。
【００１４】
＜（２）型付１４について＞
更に、本発明においては、取付部１３の先端部を挿入口１２の封止位置に正確に折り返すことができるようにあらかじめ折り返し位置に型付１４しておく必要がある。この場合の、折り返し位置は概ね挿入口１２近傍（袋本体１１側）の封止位置から取付部１３の先端部までの長さの半分の位置とするのがよい。この、型付１４を予め設けておくことによって本発明のように通常よりかなり長い取付部１３であっても粘着剤１５が塗布された取付部１３の先端部を正確に挿入口１２の封止位置で封止することができる。逆に、型付１４がないとどの位置からでも折り返すことが可能となることから誤って挿入口１２以外の箇所に粘着剤で取付部１３の先端部を貼り付けてしまい、完全な封止ができなくなる恐れが生じる。型付１４の方法としては、折り目を付けるか、折り曲げた箇所を熱融着させる方法などが挙げられるが、折り曲げた箇所を熱融着するのが折り曲げ箇所の強度アップにもつながるので好ましい。
なお、取付部１３の形状については特に制限はなく、例えば図１、２に示すように、袋本体と同じ幅であってもよいが、ループを形成する部分の幅を狭くして、例えば図３に示すように取付部１３をダンベル状とするのが、宅配荷物の取手の幅が相対的に小さいような場合でも取付部１３を取手などに適切に巻回すことができ、しかも宅配荷物の取り扱い業者や旅行鞄の持ち主がその取手などを持って宅配荷物を運搬する際に手が取付部１３に接触して袋が破損させることがないので好ましい。
【００１５】
＜（３）粘着剤１５の塗布位置について＞
更にまた、上述した取付部１３の先端部およびループを形成させる位置には粘着剤１５が塗布されている。なお、本発明においてループを形成させる位置とは、封入袋１を宅配荷物に装着する際に、まず取付部１３の先端部を宅配荷物の取手などを通過させ、その後取付部１３同士を接着させてループ状にした場合の接着位置のことを意味していて、その位置は、通常、取付部１３の根本付近（袋本体の挿入口１２近傍）である。
粘着剤１５の塗布位置としては、
（ｉ）取付部１３の先端部とそこから少し間隔をもって隣に二列で粘着剤１５を塗布する場合（図４（Ａ））。すなわち、先端部に塗布した粘着剤１５で挿入口１２を封鎖し、もう一方の粘着剤１５は挿入口１２近傍の取付部１３の根本部分でループを形成するので、ループを形成したままで挿入口１２を開閉することができる。
（ｉｉ）取付部１３の先端部と挿入口１２の近傍の取付部１３の根本部分に二列で粘着剤を塗布する場合（図４（Ｂ））。この場合も（ｉ）と同様に先端部に塗布した粘着剤１５で挿入口１２を封鎖し、もう一方の粘着剤１５は挿入口１２近傍の取付部１３の根本部分でループを形成するので、ループを形成したまま、すなわち、封入袋を荷物に取り付けた状態で挿入口１２を開閉し、伝票の出し入れができる。
（ｉｉｉ）取付部１３の先端部に粘着剤１４を幅広で一列に塗布する場合（図４（Ｃ））。先端部に塗布した粘着剤１５で、挿入口１２の封鎖とループの形成を同時に行うこととなり、挿入口１２を完全に封止することができる。
粘着剤の塗布位置については、以上３種類が挙げられるが、ループを形成したままで袋本体１１の挿入口１２の開閉が随時可能となる（ｉ）、（ｉｉ）の塗布位置を選択するのが好ましく、特に、塗布位置が接近している（ｉ）の場合が、塗布工程が簡便となるので好ましい。
【００１６】
なお、本発明に使用する粘着剤としては、必要に応じて宅配荷物用伝票を当該封入袋１から出し入れすることがあることから、合成樹脂フィルムに使用可能で接着と剥離が繰り返し可能な従来公知の粘着剤を採用すればよい。また、塗布された粘着剤の上部には従来公知の剥離フィルム１６を貼着するのが好ましい。
【００１７】
また、上記のように本発明に係る宅配荷物用伝票の封入袋１は、挿入口１２より取付部１３が延設され、該取付部１３先端部およびループを形成する位置に粘着剤が塗布されて、挿入口１２を封止できる構成に設けられている。この構成であれば、封入袋１を、取付部１３を荷物の取手などに巻回して取り付けた際に、挿入口１２が常に上側に向くように取り付けられる。このため、挿入口１２の封止が万が一、一部解除されても中に入れられた伝票が落ちる心配なく保持させることができる。
さらに、挿入口１２から取付部が延設されているため、伝票を袋本体１１内部に入れる際に、取付部１３が伝票などを入れる際のガイドとなることで、伝票をスムーズに袋本体１１内部に入れることができる。
【００１８】
次に、本発明の宅配荷物用伝票の封入袋の製造方法の一例を図４に基づいて説明する。
まず、透明な合成樹脂フィルムの所定位置に粘着剤１５を塗布し、その上部に剥離フィルム１６を貼着する（図５（Ａ））。
次いで、得られたフィルムの粘着剤１５を塗布した側の反対側を折り返して封入袋１の袋本体１１とした場合の底部を形成する（図５（Ｂ））。
しかる後に、本発明の封入袋１の取付部１３に相当する粘着剤１５の塗布側を折り返し位置で折り返し（図５（Ｃ））、折り返し部を型付１４し（図５（Ｄ）、袋本体１１の側端になる位置を熱融着すると共に、封入袋１の形状になるようにカットして本発明の封入袋１（図２）を得る。
この際の熱融着とカットを溶断シールにて行うことが有効であることは勿論である。
【産業上の利用可能性】
【００１９】
本発明によって、宅配荷物、とりわけ伝票を直接貼り付けることができない荷物であっても容易に取り付けることができ、しかも宅配荷物用伝票を汚染や水濡れから保護することができる封入袋を提供することができた。特に、最近、提案されているＩＣタグ付伝票を使用する場合に最適な封入袋を提供することができたので、今後、ＩＣタグを利用した宅配荷物の物流に大きく貢献するものと思われる。
【図面の簡単な説明】
【００２０】
【図１】本発明の封入袋１の一例を示す概略斜視図である。
【図２】図１の封入袋１の実際の提供形態を示す概略斜視図である。
【図３】本発明の封入袋１の他の一例を示す概略斜視図である。
【図４】粘着剤１５の塗布位置の各態様を示す概念断面図（Ａ、Ｂ、Ｃ）と、（Ａ）の位置に粘着剤１５を塗布した場合の使用時の状態を示す概念断面図（Ａ’）である。
【図５】本発明の封入袋１の製造方法を説明するための説明図である。
【符号の説明】
【００２１】
１      本発明の封入袋
１１    袋本体
１２    挿入口
１３    取付部
１４    型付
１５    粘着剤
１６    剥離フィルム
【図１】
2007276822.tif 000003
【図２】
2007276822.tif 000004
【図３】
2007276822.tif 000005
【図４】
2007276822.tif 000006
【図５】
2007276822.tif 000007